(57)【要約】【課題】ビデオミキサー装置等の映像処理出力装置において、映像信号の入力を必要とせず、簡単な準備でシーンの作成を行えるようにする。【解決手段】操作子１２〜１９，２１〜３８でシーンデータの編集等を行う。シーンメモリスイッチ４１，５５に対応させてシーンデータを記憶する。シーンデータの編集時に該シーンによる映像信号の加工結果状態を疑似画像により表示画面１０に表示する。映像信号の入力がない映像入力チャンネルの映像信号として疑似画像の映像信号を用いる。【選択図】      図１
2004282417.tif 000002
【特許請求の範囲】
【請求項１】
映像信号を入力して該映像信号に各種の加工を施して出力する映像処理出力装置において、
映像信号に対する加工仕様を記憶する加工仕様記憶手段と、
前記加工仕様を選択指定して該加工仕様による加工処理の実行を指示する加工実行指示手段と、
前記加工実行指示手段で指示されている加工仕様にて、対応する系統の入力映像信号を加工処理して出力する映像処理部と、
前記加工実行指示手段で指定可能な加工仕様について、複数の入力映像信号の系統の個々に対して設けた疑似画像を用いることで該加工仕様による加工処理を再現する加工仕様再現手段と、
を備えたことを特徴とする映像処理出力装置。
【請求項２】
前記加工仕様は複数系統の映像信号に同時に加工を施すものであり、該複数の映像信号をミキシングして出力することを特徴とする請求項１記載の映像処理出力装置。
【請求項３】
前記疑似画像は、入力系統ごとに異ならせた図柄および／または色であることを特徴とする請求項１記載の映像処理出力装置。
【発明の詳細な説明】
【０００１】
【発明の属する技術分野】
本発明は、映像信号に映像効果を与えて各種効果の付与された映像信号を出力する映像処理出力装置に関し、特に、複数系統の映像信号をミキシングした映像信号を出力するビデオミキサー装置等に適したものである。
【０００２】
【従来の技術】
従来、ビデオミキサー装置は、オペレータによって指定された複数の入力系統の映像信号をミックスしてリアルタイムに出力するものであり、例えばコンサートや各種イベントにおいてバック映像などを演出する際に用いられる。その際、入力系統の選択、複数入力系統の映像信号の混合比の設定、各入力系統の映像信号に付与する視覚的効果（映像効果）の設定等が行われる。なお、これらの設定による画像の各加工仕様の一つ一つ、あるいはこの設定により加工処理された画像自体を「シーン」という。
【０００３】
これらのシーンの設定は操作子の操作でパラメータを設定するものであるが、特に複数の操作子を同時に操作してリアルタイムにシーンを設定するのは困難であり、操作に熟練を要する。このため、複数のシーンを予め設定して作り込んでおき、所望のシーン（設定用のパラメータ）をリアルタイムに読み出して画像に対して所望の信号処理を行うことが考えられている。このようなのもとして、例えば特開２００２−２６２１７９号公報にシーンデータの記録再生機能を有するビデオミキサー装置が知られている。
【０００４】
【特許文献１】
特開２００２−２６２１７９号公報
【０００５】
【発明が解決しようとする課題】
しかし、従来のビデオミキサー装置では、予めシーンデータを作成するときに複数系統の映像信号を入力する必要があり、本番でないにも関わらず準備が非常に面倒であった。
【０００６】
本発明はシーンの作成時に実際の映像信号の入力を必要とせず、簡単な準備でシーンの作成を行える映像処理出力装置を提供することを課題とする。
【０００７】
【課題を解決するための手段】
本発明の請求項１の映像処理出力装置において、加工仕様は例えばシーンであり、複数のシーンが加工仕様記憶手段に記憶される。加工実行指示手段で実行指示がなされると映像処理部によりシーン（加工仕様）による加工が実行される。疑似画像は複数の入力映像信号の系統の個々に対して設けられており、この疑似画像を用いて加工仕様による加工処理を再現する。したがって、映像信号の入力を必要とせず、簡単な準備でシーンの作成を行うことができる。
【０００８】
本発明の請求項２の映像処理出力装置は、請求項１の作用効果に加えて、選択指定された例えばシーンにより複数の映像信号に同時に加工を施すことができ、この加工した映像信号をミキシングして映像表示装置等に出力することができるので、さらに多様な映像効果（視覚効果）を得ることができる。
【０００９】
本発明の請求項３の映像処理出力装置は、請求項１の作用効果に加えて、疑似画像が、入力系統ごとに異ならせた図柄および／または色であるので、入力系統（チャンネル等）を容易に識別できる。
力装置。
【００１０】
請求項１において、外部機器から入力される映像信号に対してリアルタイムに加工して該加工された映像信号を外部に出力可能にしてもよい。これにより、請求項１の作用効果に加えて、外部機器から映像信号が入力されると、選択指定されているシーンによりリアルタイムに加工して映像表示装置等に出力されるので、映像表示装置に映し出される映像に対してシーンに基づく映像効果をリアルタイムに与えることができる。
【００１１】
請求項１において、前記入力映像信号が入力されていない系統について前記疑似画像を加工対象の映像信号として用いるようにしてもよい。これにより、請求項１の作用効果に加えて、例えばリハーサルなどにおいて映像表示装置に映し出される映像に対してシーンに基づく映像効果をリアルタイムに与えるとき、仮に映像信号のない系統があっても、映像の感じを把握することができる。
【００１２】
【発明の実施の形態】
図１は実施形態の映像処理出力装置における操作パネルを示す図である。この実施形態の映像処理出力装置はビデオミキサー装置であり、一つの系統の映像信号を処理単位とする映像入力チャンネルをｃｈ１，ｃｈ２，ｃｈ３，ｃｈ４の４チャンネル備えている。そして、ビデオカメラ、ビデオテープレコーダ、ＤＶＤ（Ｄｉｇｉｔａｌ  Ｖｅｒｓａｔｉｌｅ  Ｄｉｓｋ）、パーソナルコンピュータ等の外部の映像機器から複数系統の映像信号を入力し、４つの映像入力チャンネルの各々に対して任意の系統の映像信号を割り当てることができる。なお、入力する映像信号はアナログのコンポジット形式であり、図示しないリアパネルに配設されたＩｎ１，２，３，４及びＥｘｔ（エクスターナル）の５端子から入力する。
【００１３】
［機能の概略］
各映像入力チャンネルでは、操作子の操作によるパラメータ等の設定により映像信号の加工を行うことができ、この加工された映像信号はミキシングされて、テレビモニタ、プロジェクタ、パーソナルコンピュータ等の映像表示装置に出力される。なお、映像入力チャンネルでＥｘｔの入力を選択すると入力映像のプレビュー以外に、静止画等を入力することもできる。
【００１４】
また、映像入力チャンネルにおいて映像信号に加工を施すための各種パラメータ等を設定し、これらの設定データ（１チャンネルまたは複数チャンネル分）をシーンメモリスイッチに対応させて一つのシーンデータ（加工仕様）として記憶することができる。さらに、記憶したシーンデータを読み出したりパラメータ等を設定しながら、複数のシーンデータの時系列なセットからなるストリームデータを作成し、このストリームデータをストリームメモリスイッチに対応させて記憶することができる。このストリームデータは映像を順次更新して再生するビジュアルアルペジェータ機能に用いる。
【００１５】
この実施形態では「確認モード」または「非確認モード」を選択することができ、次のように動作する。シーンデータの編集や、リアルタイムに映像信号に映像効果を与えるとき（映像出力時）あるいはストリームデータを作成するときなど、シーンデータを選択設定するときに対応するシーンメモリスイッチを１回押すと、そのシーンデータによる加工結果状態を示す擬似的（簡易的）な画像（以後、「疑似画像」という。）が表示画面に表示される。これにより、選択したいシーンデータを容易に確認することができる。また、その状態で続けて同じシーンメモリスイッチを押すと（２度押しすると）そのシーンデータにより映像信号に映像効果を与える（加工する）ように実行指示がなされる。
【００１６】
すなわち、この実施形態では、シーンメモリスイッチを２度押ししたときの２度目の機能が「加工実行指示手段」に対応する。なお、シーンメモリスイッチを１回押した後、別のシーンメモリスイッチを押した場合は、その別のシーンメモリスイッチに対応するシーンデータが選択設定される。「非確認モード」は通常（従来）の動作であり、シーンメモリスイッチを押すと対応するシーンデータが選択されるとともに即座に実行される。
【００１７】
また、この実施形態では表示画面における表示と所定の操作子の操作（ＧＵＩ等）により「試験モード」と「仮画面表示モード」を任意に選択することができる。「試験モード」のときは、前記「確認モード」でなくてもシーンに応じた加工結果状態を示す擬似画像が表示画面に表示される。すなわち、表示画面の疑似画像を見ながらシーンデータの編集やシーンデータの作成を行うことができる。これは、請求項１の「系統の個々に対して設けた疑似画像を用いることで該加工仕様による加工処理を再現する加工仕様再現手段」に対応する。「仮画面表示モード」のときは、シーンで設定されている映像入力チャンネル（シーンを構成するチャンネル）のうち実際に映像信号が入力されていないチャンネルがある場合、その実際に出力する映像がないのでその映像の変わりに上記擬似画像を実際の映像として出力する。また、「仮画面表示モード」でないときは、シーンで設定されてる映像入力チャンネルに映像信号がない場合、その映像入力チャンネルについてはそのシーンでクリア（映像を出力しない）とする。
【００１８】
［操作子］
図１において、各映像入力チャンネル（ｃｈ１〜ｃｈ４）はそれぞれ同じ操作子１１〜１９を備えている。１１はその映像入力チャンネルへの入力映像信号を選択する入力セレクトスイッチであり、各映像入力チャンネルごとに、Ｉｎ１，２，３，４及びＥｘｔの５入力から任意に１つを選択することができる。１２はそのチャンネルの使用／不使用（オン／オフ）をワンタッチで設定するチャンネルオンスイッチ、１３はポジ表示とネガ表示を切り替えるネガスイッチである。１４〜１７は回転式ボリュームであり、１４は輝度信号（Ｙ信号）と色差信号（Ｃｂ信号，Ｃｒ信号）のゲインを調整するトリムボリューム、１５は色相を調整する色相ボリューム、１６は色ゲイン（彩度）を調整する色ゲインボリューム、１７は後述のチャンネル共通制御部のパラメータをアサイン可能なアサイナブルボリュームである。１８は映像入力チャンネルの映像信号を後述のクロスフェーダ４６のＡ入力／Ｂ入力の何れに割り当てるかあるいは「スルー」に設定するかを選択するクロスフェーダアサインスイッチである。このクロスフェーダアサインスイッチ１８による選択状態はＬＥＤ１８ａで点灯表示される。１９はその映像入力チャンネルの映像信号の出力レベルを設定するチャンネルフェーダ（スライダ）である。
【００１９】
２１〜２６、３１〜３８は各映像入力チャンネルにさらに多様なパラメータを設定するチャンネル共通制御部の操作子である。２１はパラメータ値を変化させるロータリーエンコーダであり、Ｐａｒａｍ１，Ｐａｒａｍ２，Ｐａｒａｍ３の３つを備えている。２２は各ロータリーエンコーダ２１に対応するパラメータ値を初期値に戻すためのイニシャライズボタンである。２３はロータリーエンコーダ２１によるパラメータ値を設定する映像入力チャンネル（設定対象）を選択するためのチャンネルセレクトスイッチである。このチャンネルセレクトスイッチ２３は各映像入力チャンネルに対応して４つ設けられており、複数の映像入力チャンネルを選択すると複数チャンネル同時にパラメータ値を設定できる。２４はパラメータ値を微調整したり、ビジュアルアルペジェータ機能で２つのシーンの間を補間しながら変更するためのジョグシャトル、２５はジョグシャトル２４で補間変更する２つのシーンをアサインするアサインスイッチ、２６はこのジョグシャトル２４による補間変更の有効／無効を選択するアルペジオジョグスイッチである。
【００２０】
３１〜３８はロータリーエンコーダ２１に対してアサインするパラメータの種類を選択するためのパラメータスイッチである。スイッチ３１は映像の表示位置を決めるパラメータを選択し、スイッチ３２は画面分割数を決めるパラメータを選択し、スイッチ３３は反転表示の態様を決めるパラメータを選択する。スイッチ３４は映像のフレームを間引く割合を決めるパラメータを選択し、スイッチ３５は映像の表示サイズを決めるパラメータを選択し、スイッチ３６は映像の歪みの態様を決めるパラメータを選択する。スイッチ３７は選択チャンネルの映像をレイヤーとして表示するかしないか（レイヤー表示のオン／オフ）を選択し、スイッチ３８はパラメータ値のプラス／マイナス領域などをシフトするスイッチである。
【００２１】
４１〜４７は映像信号の出力時にリアルタイムに映像効果を与えるリアルタイムシーン機能に関する操作子である。４１は複数のシーンデータの各記憶領域に対応するシーンメモリスイッチ、４２はシーンデータの記憶（登録）モードを設定するストアスイッチである。なお、シフトスイッチ４３の操作で、シーンメモリスイッチ４１に対応する記憶領域を別の領域に切り替えることができ、１０個のシーンメモリスイッチ４１に対して２０パターンのシーンデータを記憶できる。また、パターンスイッチ４４の操作によりプリセットシーンを呼び出すことができる。
【００２２】
４５は前記「確認モード」と「非確認モード」とを切替え選択するビュースイッチであり、このビュースイッチ４５で「確認モード」が選択されているときはシーンメモリスイッチ４１の操作に対して「確認モード」の前記疑似画像を表示する機能が有効となる。４６はクロスフェーダであり、このクロスフェーダ４６は、異なる映像入力チャンネルの前記クロスフェーダアサインスイッチ１８で「Ａ入力」，「Ｂ入力」に割り当てられた２つの映像信号を合成し、その際の混合比（０〜１）を設定する。なお、操作子４７は、クロスフェーダ４６によるクロスフェード方法を選択するスイッチである。
【００２３】
５１はストリームデータにより映像を順次更新して再生するビジュアルアルペジェータ機能を有効にするアルペジェータモードスイッチ、５２〜５９，６１〜６９はこのビジュアルアルペジェータ機能に関する操作子である。５２は複数のストリームデータ（アルペジオパターン）を対応させて記憶するストリームメモリスイッチ、５３はストリームデータの記憶モードを設定するストアスイッチであり、前記シーンメモリスイッチ４１の場合と同様にシフトスイッチ５４の操作で６つのストリームメモリスイッチ５２に対して１２パターンのストリームデータを記憶できる。
【００２４】
５５は複数のシーンデータを対応させて記憶するシーンメモリスイッチ、５６はシーンデータの記憶モードを設定するストアスイッチであり、上記同様にシフトスイッチ５７の操作で２４個のシーンメモリスイッチ５５に対して４８パターンのシーンデータを記憶できる。また、パターンスイッチ５８の操作によりプリセットシーンを呼び出すことができる。５９は、前記ビュースイッチ４５と同様に、「確認モード」と「非確認モード」とを切替え選択するビュースイッチであり、このビュースイッチ５９で「確認モード」が選択されているときはシーンメモリスイッチ５５の操作に対して前記「確認モード」の機能が有効となる。
【００２５】
６１はストリームデータによるシーンの切替えタイミングのタイムベースとなるテンポを設定するテンポタップであり、トリガスイッチ６２の操作に続いてこのテンポタップ６１を叩くことにより、最後に叩いた４回の平均でテンポが決まる。また、６３は同テンポを設定するためのテンポダイヤルであり、このテンポダイヤル６３で２５四分音符／分のスローから４００四分音符／分のファーストの間でテンポを設定できる。なお、テンポタップ６１とテンポダイヤル６３の有効／無効はダイヤルタップスイッチ６４の操作により切り替わる。
【００２６】
６５は２つのシーンが切り替わるときの切替え開始タイミングを調整するチェンジタイムダイヤルであり、このチェンジタイムダイヤル６５の機能はリアルタイムメモリスイッチ６６の操作により有効になる。テンポの拍間隔を１００％としてチェンジタイムダイヤル６５により切り替わり時間を０〜１００％の間で設定でき、切り替わり時間から次の映像まで補間される。０％では補間せず、１００％では常に補間し続ける。
【００２７】
６７〜６９はストリームデータのドライブモードに関するスイッチであり、６７は再生ボタン、６８は停止ボタン、６９は先頭戻りボタンである。再生ボタン６７を押すとストリームデータに基づく映像出力が開始され、もう一度押すとそのときのシーンで一時停止し、もう一度押すとそのシーンから再生する。停止ボタン６８を押すと停止し、先頭戻りボタン６９を押すとストリームデータの先頭のシーンに戻る。７１はミキシングされた映像信号の出力レベルを調整するマスタフェーダである。７２はシーンデータの削除や設定のキャンセル等の操作を行うシステム制御部、７３は写真（静止画像）のロードや出力形態等を設定するフォトロード部である。なお、スイッチ１２，１３，２２，２３，２５，２６，３１〜３８，４１〜４５，４７，５１〜５９，６２，６４，６６〜６９等はＬＥＤ内蔵のスイッチであり、ＬＥＤの点灯／消灯によりオン／オフを識別できる。
【００２８】
ここで、パネル面の入力セレクトスイッチ１１の上部には、各映像入力チャンネル（ｃｈ１〜ｃｈ４）に対応して、縦線、横線、斜線、逆斜線の縞柄のチャンネル識別パターンＰ１，Ｐ２，Ｐ３，Ｐ４がそれぞれ印刷されている。また、ロータリーエンコーダ２１の上部には液晶パネル等の表示画面１０が配設されている。この表示画面１０には、各操作子のパラメータ操作で現在設定されているシーンや、シーンメモリスイッチ４１，５５で現在選択されているシーンの概要（シーンデータによる加工結果状態）が、上記チャンネル識別パターンＰ１，Ｐ２，Ｐ３，Ｐ４と同じパターンの疑似画像として表示される。なお、表示画面１０には機器の設定状態も表示される。
【００２９】
図１に図示した表示画面１０における表示例は、「試験モード」のときの表示れであり、各種操作子１２〜１９、２１〜２３、３１〜３８の設定に応じた疑似画像の表示例である。これは、入力セレクトスイッチ１１の設定状態とは無関係であり、外部からの映像信号の入力の有無に関わらずシーンの概要が表示されている。この例では、表示画面１０の左側から「Ａ入力」、「スルー」、「Ｂ入力」に対応する疑似画像が表示されており、クロスフェーダアサインスイッチ１８により各映像入力チャンネルｃｈ１，ｃｈ２，ｃｈ３，ｃｈ４が「Ａ入力」、「スルー」、「Ｂ入力」、「Ａ入力」にそれぞれ設定されていることを表示している。
【００３０】
また、疑似画像は、ロータリーエンコーダ２１の操作あるいはアサイナブルボリューム１７により設定された映像の表示位置と表示サイズに応じた表示となり、さらに、「Ａ入力」の映像チャンネルｃｈ１の疑似画像（縦線）と「Ｂ入力」の映像チャンネルｃｈ３の疑似画像（斜線）は表示サイズが小さいことを示す表示となっている。また、「Ａ入力」においてレイヤー表示オンの映像入力チャンネルｃｈ１の疑似画像が、映像入力チャンネルｃｈ４の疑似画像（逆斜線）の上にオーバーラップされており、映像入力チャンネルｃｈ１、ｃｈ４のミキシング結果が表示されている。このように、請求項１に対応して、系統の個々に対して設けた疑似画像を用いている。
【００３１】
図２は実施形態の映像処理出力装置の要部信号経路図及びブロック図である。なお、信号経路は前記各種操作子操作による機能を等価な電気回路として図示し、Ｅｘｔの系統は省略してある。ＣＰＵ１はＲＯＭ２に格納されたシステムプログラムや各種設定データを用いてＲＡＭ３のワーキングエリアを使用して全体の制御を行う。記憶部４は制御プログラムやシーンデータを記憶している。各種設定操作子群５は電源スイッチ、ダイヤル、フェーダ、ボタンスイッチ等の前記パネル面の各種操作子からなり、シーン指定操作子群６はシーンを指定する前記複数のシーンメモリスイッチ４１，５５からなる。これらの各種設定操作子群５及びシーン指定操作子群６の操作状態や操作イベントは図示しないインターフェース及びバス７を介してＣＰＵ１に取り込まれ、ＣＰＵ１はこの操作状態や操作イベントに応じて信号経路の各部を制御する。また、ＣＰＵ１は操作パネルに設けられた前記表示画面１０の表示の制御を行う。
【００３２】
各映像入力チャンネルにおいて、スイッチ部２０は入力セレクトスイッチ１１により切替え設定され、画質制御部３０は、ネガスイッチ１３、トリムボリューム１４、色相ボリューム１５、色ゲインボリューム１６等の操作に応じて、入力された映像信号の画質を調整する。画像位置制御部３０は、ロータリーエンコーダ２１あるいはアサイナブルボリューム１７の操作に応じて、画像位置、表示サイズ、歪み等を調整し、ボリューム５０は、チャンネルフェーダ１９の操作により映像信号の出力レベルを設定する。オンオフスイッチ６０は、チャンネルオンスイッチ１２の操作により映像信号の出力／非出力を切り替え、スイッチ部７０は、クロスフェーダアサインスイッチ１８の操作に応じて映像信号を「Ａ入力」，「Ｂ入力」，「スルー」に選択的に出力する。２連ボリューム８０は、クロスフェーダ４６の操作に応じて、「Ａ入力」の映像信号と「Ｂ入力」の映像信号を、設定された混合比に応じたレベルで出力し、この２連ボリューム８０の各出力信号はミキシングされて画像出力チャンネルＯＵＴに出力される。また、「スルー」の映像信号はそのまま画像出力チャンネルＯＵＴに出力される。
【００３３】
図７〜図９はＣＰＵ１が実行する制御プログラムの要部のフローチャートであり、図７はメイン処理、図８は映像制御処理、図９はシーン制御処理のフローチャートである。図７のメイン処理では、ステップＳ１で初期化処理を行ってステップＳ２〜Ｓ５を繰り返すことで、各操作子の操作に応じた処理と映像データの加工制御を行う。映像制御に対応する操作があればステップＳ６で図８の映像制御処理を行い、シーン制御に対応する操作があればステップＳ７で図９のシーン制御処理を行う。
【００３４】
図８の映像制御処理では、ステップＳ１１〜Ｓ１６で操作内容を判断し、各操作に対応してステップＳ１８〜２３で映像制御に関する処理を行う。また、ステップＳ１７ではその他の操作に対応する処理を行う各操作内容に応じた処理を行う。図９のシーン制御処理では、前記確認モード／非確認モード、試験モード、仮画面表示モードに応じて、シーンデータの読み出し設定、表示画面１０による疑似画像の表示／非表示、あるいは映像信号の設定を行う。
【００３５】
ステップＳ３１→Ｓ３２→Ｓ３３のフローは、確認モードにおいてシーンメモリスイッチを２度押ししない場合、すなわち異なるシーンメモリスイッチを１回ずつ順次あるいは交互に操作した場合であり、操作するごとに対応するシーンの疑似画像が表示画面１０に表示される。ステップＳ３１→Ｓ３２→Ｓ３４→Ｓ３５のフローは、確認モードにおいてシーンメモリスイッチを２度押しした場合、すなわち一度目にステップＳ３１→Ｓ３２→Ｓ３３で疑似画像が操作された状態で同じシーンメモリスイッチを押した場合である。これにより、ステップＳ３５でシーンデータが映像処理用にセットされる。なお、ステップＳ３４→Ｓ３３のフローは試験モードの場合であり、確認モード／非確認モードのいずれの場合でも、シーンデータは設定されず、疑似画像の表示だけが行われる。
【００３６】
ステップＳ３６〜Ｓ３９は、セットされたシーンによる加工対象となる映像信号の設定に関するフローであり、シーンで設定されている映像入力チャンネルの全てに映像信号が入力されていればそのまま復帰する。映像信号が入力されていないチャンネルがあれば、仮画面表示モードのときはそのチャンネルの疑似画像を加工対象の映像信号として生成し、仮画面表示モードでなければクリアーの映像とする。
【００３７】
図３、図４は外部の映像出力装置のスクリーン等（表示部）に出力される映像のシーンデータによる加工例と、これに対応する表示画面１０における疑似画像の表示例を示す図である。図３のシーン１はスクリーンを４分割して各映像入力チャンネルの映像を表示する例であり、図３（Ａ）  のようにｃｈ１は左上、ｃｈ２は右上、ｃｈ３は左下、ｃｈ４は右下に表示されている。この加工結果状態は、図３（Ｂ）  のように各映像入力チャンネルの疑似画像（縦線、横線、斜線、逆斜線）により表示画面１０に表示される。図４のシーン２はｃｈ１とｃｈ４を消した状態で表示する例であり、図４（Ａ）  のようにｃｈ３が左中央に表示されるとともにｃｈ２が縦に伸ばされｃｈ３に一部オーバーラップして表示されている。この加工状態は図４（Ｂ）  のようにｃｈ２（横線）とｃｈ３（斜線）の疑似画像により表示画面１０に表示され、ｃｈ２の疑似画像（横線）が縦に伸ばされてｃｈ３の疑似画像（斜線）に一部オーバーラップして表示されている。なお、ｃｈ２の疑似画像のように、映像が変形されると疑似画像の横線の間隔が伸ばされる。また、縦線の場合も線の間隔当が変化し、斜線及び逆斜線の場合は角度が変化する。これによっても映像が変形されていることを確認することもできる。
【００３８】
図５はシーンで設定された映像入力チャンネルに映像信号が入力されていないチャンネルがある場合の映像出力の例である。シーン２は図４のようにｃｈ２とｃｈ３とで構成されているが、ｃｈ２に映像信号が入力されていない場合とする。前記「仮画面表示モード」でないときは図５（Ａ）  のようにｃｈ２に対応する画像はクリアとされ、「仮画面表示モード」のときは図５（Ｂ）  のように、ｃｈ２に対応する映像として、ｃｈ２の擬似画像（横線）を映像として出力する。
【００３９】
なお、図４（Ｂ）  の疑似画像の例では、ｃｈ２の映像がｃｈ３の映像にオーバーラップすることに対応して、疑似画像においても横線が斜線の上にオーバーラップするように表示している。このようなオーバーラップする場合は、例えば図６のように表示してもよい。図６（Ａ）  は両方の疑似画像をそのまま重ねて表示するものであり、これによりどの程度重なっているかが確認しやすい。また、図６（Ｂ）  は映像が重なる部分で下になる方の疑似画像は破線等で表示する。これにより、さらにどちらが上あるいは下になるかを容易に確認できる。
【００４０】
以上の実施形態では、ビュースイッチ４５あるいは５９により「確認モード」と「非確認モード」を選択できるようにしているが、専ら確認モードだけの装置としてもよいことはいうまでもない。実施形態ではシーンメモリスイッチの２度押しにより加工実行指示手段を構成しているが、この実行支持手段としてはシーンメモリスイッチとは別のスイッチ（操作子等）としてもよい。
【００４１】
実施形態では映像入力チャンネルに対応してチャンネル識別パターンＰ１，Ｐ２，Ｐ３，Ｐ４が印刷されているので、疑似画像とチャンネルとの対応を把握しやすくなる。なお、このチャンネル識別パターンＰ１，Ｐ２，Ｐ３，Ｐ４は印刷されていなくてもよい。
【００４２】
また、疑似画像及びチャンネル識別パターンＰ１，Ｐ２，Ｐ３，Ｐ４のパターン（図柄）は実施形態のものに限らず、各チャンネルを識別できればよい。また、図柄の違いに限らず、色等によってチャンネル毎に疑似画像を識別できるようにしてもよい。また、実施形態では映像入力チャンネルが４チャンネルの場合について説明したが、チャンネル数はこれより多くても少なくてもよい。
【００４３】
【発明の効果】
請求項１の映像処理出力装置によれば、映像信号の入力を必要とせず、簡単な準備でシーンの作成を行うことができる。
【００４４】
請求項２の映像処理出力装置によれば、請求項１の効果に加えて、複数の加工した映像信号をミキシングして映像表示装置等に出力することができるので、さらに多様な映像効果（視覚効果）を得ることができる。
【００４５】
請求項３の映像処理出力装置によれば、請求項１の効果に加えて、入力系統（チャンネル等）を容易に識別できる。
【図面の簡単な説明】
【図１】本発明の実施形態の映像処理出力装置における操作パネルを示す図である。
【図２】同映像処理出力装置の要部信号経路図及びブロック図である。
【図３】実施形態における映像出力と疑似画像の第１の表示例を示す図である。
【図４】実施形態における映像出力と疑似画像の第２の表示例を示す図である。
【図５】実施形態における映像入力チャンネルに映像信号が入力されていないチャンネルがある場合の映像出力の例である。
【図６】実施形態における疑似画像の表示態様の他の例を示す図である。
【図７】実施形態におけるメイン処理のフローチャートである。
【図８】実施形態における映像制御処理のフローチャートである。
【図９】実施形態におけるシーン制御処理のフローチャートである。
【符号の説明】
４１，５５…シーンメモリスイッチ、１０…表示画面、Ｐ１，Ｐ２，Ｐ３，Ｐ４…チャンネル識別パターン
【図１】
2004282417.tif 000003
【図２】
2004282417.tif 000004
【図３】
2004282417.tif 000005
【図４】
2004282417.tif 000006
【図５】
2004282417.tif 000007
【図６】
2004282417.tif 000008
【図７】
2004282417.tif 000009
【図８】
2004282417.tif 000010
【図９】
2004282417.tif 000011